(57)【要約】【課題】Ｇ１３形口金対応のソケットに装着されるのを防止できる直管形ランプを提供する。【解決手段】半導体発光素子を有する光源ユニットを備える。光源ユニットを収容する透光性カバー24を備える。透光性カバー24の端部に設けられ、Ｇ１３形口金で規定されている一対の口金ピン間の間隔より広い間隔で一対の口金ピン27が突設された口金部25を備える。【選択図】図１
2012009399.tif 000002
【特許請求の範囲】
【請求項１】
半導体発光素子を有する光源ユニットと；
光源ユニットを収容する透光性カバーと；
透光性カバーの端部に設けられ、Ｇ１３形口金で規定されている一対の口金ピン間の間隔より広い間隔で一対の口金ピンが突設された口金部と；
を具備していることを特徴とする直管形ランプ。
【請求項２】
口金ピンの先端に、口金ピンの側方へ突出する接続部が設けられている
ことを特徴とする請求項１記載の直管形ランプ。
【請求項３】
一対の口金ピンは、互いに非対称形状に形成されている
ことを特徴とする請求項１または２記載の直管形ランプ。
【請求項４】
ソケット本体と；
ソケット本体に設けられ、請求項２記載の直管形ランプの口金ピンの接続部が挿通可能な挿通部と；
ソケット本体に挿通部と連通して設けられ、口金ピンの接続部より幅が狭く口金ピンが通過可能な寸法に形成された通過部と；
ソケット本体内に収容され、口金ピンが通過する通過部より外側で口金ピンの接続部と電気的に接続される給電端子と；
を具備していることを特徴とするソケット。
【請求項５】
請求項２記載の直管形ランプと；
請求項４記載のソケットと；
を具備していることを特徴とする照明装置。
【発明の詳細な説明】
【技術分野】
【０００１】
本発明は、半導体発光素子を用いた直管形ランプ、この直管形ランプを接続するソケット、およびこれら直管形ランプおよびソケットを用いた照明装置に関する。
【背景技術】
【０００２】
一般に、直管形蛍光ランプを用いた照明器具が多く使用されているが、このような既設の照明器具に、直管形蛍光ランプに代えて使用可能な光源として低消費電力かつ長寿命なＬＥＤ素子を用いた直管形ランプが提案されている。
【０００３】
この直管形ランプは、直管形蛍光ランプと同じ管長とされ、その両端には直管形蛍光ランプと同じ一対の口金ピンが突出されたＧ１３形の口金が設けられており、直管形蛍光ランプと同様に、既設の照明器具に配設された一対のソケット間に装着可能としている。直管形ランプ内には、複数のＬＥＤ素子を実装した基板を有する光源ユニット、および直管形蛍光ランプ用の安定器からソケット内の端子およびランプピンを通じて供給される交流電力を直流電力に変換して光源ユニットの各ＬＥＤ素子に供給して各ＬＥＤ素子を点灯させる電源回路が収容されている。
【先行技術文献】
【特許文献】
【０００４】
【特許文献１】実用新案登録第３１５２５０９号公報
【発明の概要】
【発明が解決しようとする課題】
【０００５】
しかしながら、直管形ランプは直管形蛍光ランプと互換性のあるＧ１３形口金を用いているため、直管形蛍光ランプ専用の点灯回路を搭載している照明器具に直管形ランプを誤って装着してしまったり、あるいは、直管形ランプ専用の電源回路を搭載している照明器具に直管形蛍光ランプを誤って装着してしまうおそれがある。
【０００６】
また、直管形蛍光ランプを使用してきた既設の照明器具では、直管形蛍光ランプの装着には問題がないもののソケットに劣化が生じている場合が多く、このソケットに対して、発光ユニットや電源回路が収容されていて直管形蛍光ランプよりも重い直管形ランプを装着することは、ソケットによる直管形ランプの保持の信頼性に問題が生じる。
【０００７】
本発明は、このような点に鑑みなされたもので、Ｇ１３形口金対応のソケットに装着されるのを防止できる直管形ランプ、Ｇ１３形口金が装着されるのを防止できるソケット、およびこれら直管形ランプおよびソケットを用いた照明装置を提供することを目的とする。
【課題を解決するための手段】
【０００８】
本発明の直管形ランプは、半導体発光素子を有する光源ユニットを備える。光源ユニットを収容する透光性カバーを備える。透光性カバーの端部に設けられ、Ｇ１３形口金で規定されている一対の口金ピン間の間隔より広い間隔で一対の口金ピンが突設された口金部を備える。
【発明の効果】
【０００９】
本発明の直管形ランプによれば、Ｇ１３形口金で規定されている一対の口金ピン間の間隔より広い間隔で一対の口金ピンが突設された口金部を備え、Ｇ１３形口金との互換性を備えないため、Ｇ１３形口金対応のソケットに装着されるのを防止することが期待できる。
【図面の簡単な説明】
【００１０】
【図１】第１の実施形態を示す直管形ランプの一部の斜視図である。
【図２】同上直管形ランプの斜視図である。
【図３】同上直管形ランプを用いた照明装置の側面図である。
【図４】同上照明装置のソケットの斜視図である。
【図５】同上照明装置の斜視図である。
【図６】第２の実施形態を示す直管形ランプの一部の斜視図である。
【図７】第３の実施形態を示す直管形ランプの一部の斜視図である。
【図８】第４の実施形態を示す直管形ランプの一部の斜視図である。
【図９】第５の実施形態を示す直管形ランプの一部の斜視図である。
【図１０】第６の実施形態を示すソケットの斜視図である。
【発明を実施するための形態】
【００１１】
以下、第１の実施形態を、図１ないし図５を参照して説明する。
【００１２】
図５に示すように、照明装置11は、直管形蛍光ランプ２灯用タイプの埋込形照明器具である照明器具12、およびこの照明器具12に用いられる２本の直管形ランプ13を備えている。
【００１３】
照明器具12は、天井面に埋め込み設置される下面開放形の長尺な器具本体15、この器具本体15の長手方向の両端に対向配置されて各直管形ランプ13の端部がそれぞれ装着される２組のソケット16，17、および器具本体15に配置されて直管形ランプ13を点灯させる専用電源である点灯装置18を備えている。なお、以下、直管形ランプ13の一端側を装着する一端側のソケット16を第１のソケット16と呼び、直管形ランプ13の他端側を装着する他端側のソケット17を第２のソケット17と呼ぶ。
【００１４】
本実施形態の照明器具12は、例えば、直管形蛍光ランプを使用する既設の照明器具の器具本体15のみをそのまま使用し、直管形ランプ13と、この直管形ランプ専用のソケット16，17および点灯装置18とを組み合わせた照明器具12としてリニューアルするものである。あるいは、直管形ランプ13と、この直管形ランプ専用のソケット16，17および点灯装置18とを使用する照明器具12を新設する場合でも、直管形蛍光ランプ用の既存の器具本体15を流用し、これに直管形ランプ13、ソケット16，17および点灯装置18を組み合わせた照明器具12として設置するものである。
【００１５】
図１ないし図３に示すように、直管形ランプ13は、直管形蛍光ランプと同程度の管長および管径で直管形蛍光ランプと略同じ外観に形成されたカバー体21、およびこのカバー体21内に収容された光源ユニット22を備えている。
【００１６】
カバー体21は、透光性カバー24、およびこの透光性カバー24の両端部をそれぞれ覆って設けられた端部キャップまたは端部カバーである口金部25，26を備えている。なお、以下、第１のソケット16に装着される直管形ランプ13の一端側の口金部25を第１の口金部25と呼び、第２のソケット17に装着される直管形ランプ13の他端側の口金部26を第２の口金部26と呼ぶ。
【００１７】
透光性カバー24は、例えば、透光性および拡散性を有する例えばアクリル樹脂などの樹脂材料によって長尺な円筒状に形成されている。
【００１８】
口金部25，26は、例えば、絶縁性を有する合成樹脂材料あるいは金属材料によって形成されている。なお、これら口金部25，26は、透光性カバー24の端部を覆うことができればどのような形状であってもよく、透光性カバー24の一部が含まれていてもよい。
【００１９】
第１の口金部25の端面には、光源ユニット22に電気的に接続された給電用の一対の口金ピン27が突出されている。これら口金ピン27は、直管形ランプ13の長手方向に沿って突出するピン部27a、およびこのピン部27aの先端にピン部27aの長手方向に対して側方へ突出する円板状の接続部27bを備えている。そして、一対の口金ピン27間の間隔、すなわち一対のピン部27aの中心間の間隔ａは、ＪＩＳＣ７７０９−１に規定されているＧ１３形口金の一対の口金ピン間の間隔より広く設定されている。
【００２０】
第２の口金部26の端面には、１本のアース接続用の口金ピンであるアースピン28が、直管形ランプ13の管軸を中心として直管形ランプ13の長手方向に沿って突出されている。
【００２１】
光源ユニット22は、例えばＬＥＤ素子やＥＬ素子などの複数の半導体発光素子29が実装された複数の基板30、およびこれら基板30を取り付けた取付板31を備えている。そして、光源ユニット22は、透光性カバー24のいずれか一方の端部から差し込まれた後、透光性カバー24の両端部に口金部25，26が取り付けられることにより、カバー体21内に収容されている。
【００２２】
半導体発光素子29には、ＬＥＤ素子の場合、ＬＥＤチップが搭載された接続端子付きのＳＭＤ（Surface Mount Device）パッケージが用いられている。このＳＭＤパッケージは、パッケージ内に例えば青色光を発するＬＥＤチップが配置され、このＬＥＤチップをＬＥＤチップからの青色光の一部により励起されて黄色光を放射する黄色の蛍光体が混入された例えばシリコーン樹脂などの蛍光体層で封止されている。したがって、蛍光体層の表面が発光面となり、この発光面から白色系の光が放射される。
【００２３】
なお、一対の口金ピン27と光源ユニット22の半導体発光素子29の発光面との位置関係は、直管形ランプ13をソケット16，17間に正しく装着した状態で、半導体発光素子29の発光面が下方に向いて所定の照射方向に光を照射できるように設定されている。
【００２４】
また、図４に示すように、第１のソケット16は、給電用のソケットであり、絶縁性を有する樹脂製のソケット本体34、およびこのソケット本体34内に収容される一対の給電端子35を備えている。
【００２５】
ソケット本体34には、第２のソケット17に対向する内側面であるランプ装着面に、直管形ランプ13の一対の口金ピン27の接続部27bが挿通可能な幅寸法ｂの一対の丸孔状の挿通部36が形成され、これら各挿通部36と連通し、口金ピン27の接続部27bの幅より狭くピン部27aが通過可能な幅寸法ｃに形成された一対の通過部37が形成されている。これら挿通部36の幅寸法ｂと通過部37の幅寸法ｃとは、ｂ＞ｃの関係を有している。一対の通過部37は、直管形ランプ13の管軸を中心として一対の口金ピン27の回動を許容するように円弧状に沿って溝状に形成されている。そして、一対の通過部37の溝の中心間の間隔ｄは、一対の口金ピン27間の間隔、すなわち一対のピン部27aの中心間の間隔ａと同一とし、Ｇ１３形口金の一対の口金ピンを接続するソケットが有する孔や溝の一対の通過部間の間隔より広く設定されている。
【００２６】
各給電端子35は、ソケット本体34内に収容され、各口金ピン27のピン部27aが通過する各通過部37の位置で、その各通過部37に対向する位置より外側（例えば外径側）にずれた位置で口金ピン27の接続部27bと電気的に接続されるように配置されている。
【００２７】
また、図３に示すように、第２のソケット17は、保持用およびアース接続用のソケットであり、絶縁性を有する樹脂製のソケット本体39、およびこのソケット本体39内に収容されるアース端子40を備えている。
【００２８】
ソケット本体39は、第１のソケット16に対向する内側面であるランプ装着面から進退可能とするランプ取付部41を備えている。このランプ取付部41の中心に直管形ランプ13のアースピン28が差し込まれる１つの差込孔が形成され、この差込孔の内側にアースピン28と電気的に接続されるアース端子40が配置されている。ランプ取付部41は、ソケット本体39内に配置されるアース端子40あるいは別のスプリングによってソケット本体39からの突出方向に付勢されている。アース端子40は、器具本体15などに電気的に接続されている。
【００２９】
また、図５に示す点灯装置18は、商用交流電源が入力され、交流電力を直流電力に変換し、この直流電力を第１のソケット16の一対の給電端子35および直管形ランプ13の一対の口金ピン27を通じて光源ユニット22に供給する。
【００３０】
そうして、例えば天井面に設置されている既設の直管形蛍光ランプ用照明器具をリニューアルする場合には、直管形蛍光ランプ用点灯装置を器具本体15から取り外すか、直管形蛍光ランプ用点灯装置をそのまま残す場合には商用交流電源を供給する電源線を直管形蛍光ランプ用点灯装置から外し、直管形ランプ13の専用の点灯装置18を器具本体15に新たに取り付け、この点灯装置18に電源線を接続する。
【００３１】
直管形蛍光ランプ用ソケットを器具本体15から外し、ソケット16，17を器具本体15に取り付け、点灯装置18と第１のソケット16とを電線によって電気的に接続する。
【００３２】
器具本体15のソケット16，17間に直管形ランプ13を装着する。この際、直管形ランプ13の第２の口金部26から突出する１本のアースピン28を第２のソケット17のランプ取付部41の差込孔に差し込み、ランプ取付部41を付勢に抗してソケット本体39内に押し込んで、直管形ランプ13を全体的に第２のソケット17側に寄せながら、直管形ランプ13の第１の口金部25から突出する一対の口金ピン27の接続部27bを第１のソケット16の一対の挿通部36に差し込んで挿通させ、さらに一対の口金ピン27のピン部27aを一対の挿通部36に挿通させる。続いて、直管形ランプ13を管軸回りで装着方向へ回転させ、一対の口金ピン27のピン部27aを一対の通過部37に移動させることにより、直管形ランプ13をソケット16，17間の所定の装着位置に装着する。
【００３３】
この直管形ランプ13の装着により、第２のソケット17側において、アースピン28がアース端子40に接続され、また、第１のソケット16側において、各口金ピン27のピン部27aが通過する各通過部37に対向する位置より外側（例えば外径側）にずれた位置で口金ピン27の接続部27bと電気的に接続される。
【００３４】
そして、点灯装置18の動作により、点灯装置18からの直流電力が第１のソケット16の一対の給電端子35および直管形ランプ13の一対の口金ピン27を通じて光源ユニット22に供給され、光源ユニット22の各半導体発光素子29が点灯し、各半導体発光素子29からの光が透光性カバー24を透過して照明器具12の下方の所定の照射方向へ照射される。
【００３５】
また、直管形ランプ13を外す場合には、装着時とは逆に、直管形ランプ13を管軸回りに取外し方向へ回転させ、ランプ取付部41を付勢に抗してソケット本体39内に押し込んで、直管形ランプ13を全体的に第２のソケット17側に寄せながら、第１の口金部25の一対の口金ピン27を第１のソケット16の挿通部36から抜き外し、直管形ランプ13の第１の口金部25側を下方へ移動させ、第２の口金部26のアースピン28を第２のソケット17から抜き外す。
【００３６】
また、直管形ランプ13を既存の直管形蛍光ランプ用照明器具に誤って装着しようとした場合、直管形ランプ13は、直管形蛍光ランプ用のＧ１３形口金で規定されている一対の口金ピン間の間隔より広い間隔で一対の口金ピン27が突設された第１の口金部25を備え、Ｇ１３形口金との互換性を備えないため、Ｇ１３形口金対応のソケットに装着されるのを確実に防止することができる。
【００３７】
しかも、口金ピン27の先端に、口金ピン27の長手方向に対して側方へ突出する接続部27bを備えることにより、Ｇ１３形口金対応のソケットに装着されるのをより確実に防止することができる。
【００３８】
さらに、一対の口金ピン27間の間隔が広いため、プラス、マイナスの直流電力がそれぞれ供給される一対の口金ピン27間の沿面距離を長くすることができ、絶縁性を確保できる。
【００３９】
また、直管形ランプ13の第１の口金部25を装着する第１のソケット16は、直管形ランプ13の一対の口金ピン27の接続部27bが挿通可能な一対の挿通部36と、これら各挿通部36と連通し、口金ピン27の接続部27bより幅が狭くピン部27aが通過可能な寸法に形成された一対の通過部37とを備え、一対の通過部37間の間隔が一対の口金ピン27間の間隔と同一で、Ｇ１３形口金の一対の口金ピンを接続するソケットが有する孔や溝などの一対の通過部間の間隔より広いため、この第１のソケット16に直管形蛍光ランプが装着されるのを確実に防止できる。
【００４０】
しかも、第１のソケット16内に収容される給電端子35は、各口金ピン27のピン部27aが通過する各通過部37の位置で、その各通過部37に対向する位置より外側（例えば外径側）にずれた位置で口金ピン27の接続部27bと電気的に接続されるように配置しているため、仮に、Ｇ１３形口金の真直ぐな口金ピンを無理やり一対の通過部37に挿入できたとしても、その口金ピンと給電端子35とが電気的に接続してしまうのを確実に防止できる。
【００４１】
以上のように、直管形ランプ13および直管形ランプ13が接続される第１のソケット16を用いることにより、直管形蛍光ランプおよびこの直管形蛍光ランプが接続されるソケットとの互換性をなくし、互いに誤って装着してしまうのを確実に防止することができる。
【００４２】
次に、第２の実施形態を図６に示す。
【００４３】
直管形ランプ13の第１の口金部25から突出する一対の口金ピン27の接続部27bに関するもので、直管形ランプ13の長手方向に沿って突出するピン部27aの先端に、ピン部27aの長手方向に対して側方であって互いに対向する方向に略Ｌ字形に折曲された接続部27bを備えている。このように構成した場合にも、第１の実施の形態と同様の作用効果が得られる。
【００４４】
次に、第３の実施形態を図７に示す。
【００４５】
直管形ランプ13の第１の口金部25から突出する一対の口金ピン27の接続部27bに関するもので、直管形ランプ13の長手方向に沿って突出するピン部27aの先端に、ピン部27aの長手方向に対して側方であって互いに反対方向に略Ｌ字形に折曲された接続部27bを備えている。このように構成した場合にも、第１の実施の形態と同様の作用効果が得られる。
【００４６】
次に、第４の実施形態を図８に示す。
【００４７】
直管形ランプ13の第１の口金部25から突出する一対の口金ピン27の接続部27bに関するもので、一対の口金ピン27は非対称形状に形成されている。すなわち、一方の口金ピン27は、直管形ランプ13の長手方向に沿って突出するピン部27aのみを備えている。他方の口金ピン27は、直管形ランプ13の長手方向に沿って突出するピン部27a、およびこのピン部27aの先端にピン部27aの長手方向に対して側方であって一方の口金ピン27と反対方向に略Ｌ字形に折曲された接続部27bを備えている。
【００４８】
このように構成した場合にも、第１の実施の形態と同様の作用効果が得られる。しかも、一対の口金ピン27を非対称形状に形成することにより、直管形ランプ13の管軸回りに対する方向性が生じるため、一対の口金ピン27の向きと光源ユニット22の半導体発光素子29の発光面との位置関係を定めることができ、直管形ランプ13を第１のソケット16に装着できたときには、半導体発光素子29の発光面を照明器具12から光を照射する所定の照射方向に確実に向けることができる。
【００４９】
なお、一対の口金ピン27を非対称形状とするには、接続部27bの形状を、図１に示した円板状にしてもよいし、図６に示した内向きに折曲させてもよく、いずれの形状でもよい。
【００５０】
次に、第５の実施形態を図９に示す。
【００５１】
直管形ランプ13の第１の口金部25から突出する一対の口金ピン27に関するもので、一対の口金ピン27は、板状で、直管形ランプの管軸と同心円の円弧状に形成されている。このように構成した場合にも、第１の実施の形態と同様の作用効果が得られる。
【００５２】
次に、第６の実施形態を図１０に示す。
【００５３】
第１のソケット16に関するもので、ソケット本体34には、第２のソケット17に対向する内側面であるランプ装着面から先端面に亘って、直管形ランプ13の一対の口金ピン27の接続部27bが挿通可能な幅寸法ｂとする１つの溝状の挿通部36が形成され、この各挿通部36と連通し、口金ピン27の接続部27bの幅より狭くピン部27aが通過可能な幅寸法ｃに形成された一対の通過部37が形成されている。これら挿通部36の幅寸法ｂと通過部37の幅寸法ｃとは、ｂ＞ｃの関係を有している。一対の通過部37は、直管形ランプ13の管軸を中心として一対の口金ピン27の回動を許容するように円弧状に沿って溝状に形成されている。
【００５４】
そして、一対の通過部37の溝の中心間の間隔ｄは、一対の口金ピン27間の間隔、すなわち一対のピン部27aの中心間の間隔ａと同一とし、Ｇ１３形口金の一対の口金ピンを接続するソケットが有する孔や溝の一対の通過部間の間隔より広く設定されている。
【００５５】
各給電端子35は、ソケット本体34内に収容され、各口金ピン27のピン部27aが通過する各通過部37の位置で、その各通過部37に対向する位置より外側（例えば外径側）にずれた位置で口金ピン27の接続部27bと電気的に接続されるように配置されている。
【００５６】
この第１のソケット16には、図１、図６ないし図９にそれぞれ示した各実施形態の直管形ランプ13の一対の口金ピン27を装着することができる。
【００５７】
直管形ランプ13を装着するときには、一対の口金ピン27をソケット本体34の先端側から挿通部36に挿入し、直管形ランプを管軸を中心として装着方向に回転させることにより、図１、図６ないし図８に示す直管形ランプ13の場合には一対の口金ピン27のピン部27aが一対の通過部37に侵入して移動し、また、図９に示す直管形ランプ13の場合には板状で円弧状の一対の口金ピン27が一対の通過部37に侵入して移動し、直管形ランプ13を第１のソケット16の所定の装着位置に装着できる。
【００５８】
したがって、この第１のソケット16は、直管形ランプ13の一対の口金ピン27の各種のバリエーションに対して共通に使用でき、汎用性を向上できる。
【００５９】
なお、各実施形態に示した各構成は、任意に組み合わせて構成することができる。
【００６０】
また、直管形ランプ13は、一対の口金ピン27にプラス、マイナスの専用の極性を持たせないようにする極性制御回路を備えていてもよい。この極性制御回路を備えることにより、例えば、一対の口金ピン27がそれぞれプラス用の給電端子35とマイナス用の給電端子35とのいずれに接続された場合でも点灯することができ、あるいは、極性が違って接続された場合に、点灯させないとともに光源ユニット22などに影響が生じないようにすることができる。
【００６１】
また、照明装置11は、埋込形照明器具に限らず、直付形照明器具にも適用できる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
11    照明装置
13    直管形ランプ
16    ソケット
22    光源ユニット
24    透光性カバー
25    口金部
27    口金ピン
27b   接続部
29    半導体発光素子
34    ソケット本体
35    給電端子
36    挿通部
37    通過部
【図１】
2012009399.tif 000003
【図２】
2012009399.tif 000004
【図３】
2012009399.tif 000005
【図４】
2012009399.tif 000006
【図５】
2012009399.tif 000007
【図６】
2012009399.tif 000008
【図７】
2012009399.tif 000009
【図８】
2012009399.tif 000010
【図９】
2012009399.tif 000011
【図１０】
2012009399.tif 000012